(57)【特許請求の範囲】
【請求項１】
文字、記号、絵柄等の符号を有する複数のキートップ部と該複数のキートップ部が配置されたシート部材とを含む押釦スイッチ用カバー部材の製造方法であって、
情報通信手段を介して前記押釦スイッチ用カバー部材の形態意匠を消費者等の第三者へ公開する工程と、前記第三者が前記押釦スイッチ用カバー部材の形態意匠に基づいて前記キートップ部の意匠を決定する工程と、該キートップ部の意匠を前記情報通信手段を介して製造業者へ送信する工程と、サーバー装置により前記第三者から送信された前記キートップ部の意匠と前記押釦スイッチ用カバー部材の形態意匠とで前記押釦スイッチ用カバー部材の基本意匠を合成する工程と、インクジェット印刷装置、熱転写印刷装置及び昇華型印刷装置等により前記シート部材の原料である樹脂シートに複数の前記第三者からの要求に応じた前記押釦スイッチ用カバー部材の基本意匠を画像作成ソフト等の印刷機能を使用して印刷をする印刷工程と、真空・圧空成形機を使用して前記押釦スイッチ用カバー部材の基本意匠が印刷された前記樹脂シートに前記複数のキートップ部に対応する複数の凹部を形成する成形工程と、前記複数の凹部に別途射出成形機等によって成形したキートップ部材を一体化する工程とにより、前記キートップ部の意匠の異なる押釦スイッチ用カバー部材を製作することを特徴とする押釦スイッチ用カバー部材の製造方法。
【請求項２】
文字、記号、絵柄等の符号を有する複数のキートップ部と該複数のキートップ部が配置されたシート部材とを含む押釦スイッチ用カバー部材の製造方法であって、
情報通信手段を介して前記押釦スイッチ用カバー部材の形態意匠を消費者等の第三者へ公開する工程と、前記第三者が前記押釦スイッチ用カバー部材の形態意匠に基づいて前記キートップ部の意匠を決定する工程と、該キートップ部の意匠を前記情報通信手段を介して製造業者へ送信する工程と、サーバー装置により前記第三者から送信された前記キートップ部の意匠と前記押釦スイッチ用カバー部材の形態意匠とで前記押釦スイッチ用カバー部材の基本意匠を合成する工程と、サーバー装置により前記基本意匠に修正を加えて最終意匠を決定する工程と、インクジェット印刷装置、熱転写印刷装置及び昇華型印刷装置等により前記シート部材の原料である樹脂シートに前記押釦スイッチ用カバー部材の最終意匠を画像作成ソフト等の印刷機能を使用して複数の前記第三者からの要求に応じた印刷をする印刷工程と、真空・圧空成形機を使用して前記押釦スイッチ用カバー部材の最終意匠が印刷された前記樹脂シートに前記複数のキートップ部に対応する複数の凹部を形成する成形工程と、前記複数の凹部に別途射出成形機等によって成形したキートップ部材を一体化する工程とにより、前記キートップ部の意匠の異なる押釦スイッチ用カバー部材を製作すること特徴とする押釦スイッチ用カバー部材の製造方法。
【請求項３】
前記キートップ部の意匠を決定する工程は、前記製造業者から発信される質問データに対して前記第三者が回答データを送信することによって前記キートップ部の意匠が決定されることを特徴とする請求項１又は２に記載の押釦スイッチ用カバー部材の製造方法。
【請求項４】
前記キートップ部の意匠を決定する工程は、前記第三者から提示された意匠によって前記キートップ部の意匠が決定されることを特徴とする請求項１又は２に記載の押釦スイッチ用カバー部材の製造方法。
【請求項５】
前記押釦スイッチ用カバー部材の最終意匠を決定する工程は、前記製造業者から発信される性格判断質問票のデータに対して前記第三者が回答データを送信する工程と、前記サーバー装置により前記回答データに基づいて決定された前記第三者の性格データに適合するとされる色彩パラメータ及び／又は文字書体データを使用して前記キートップ部の意匠を決定する工程とを有することを特徴とする請求項２に記載の押釦スイッチ用カバー部材の製造方法。
【請求項６】
前記製造業者と前記第三者とで使用する前記印刷装置が、同じ性能の同じ調整を施したものであることを特徴とする請求項１乃至５のいずれか一つに記載の押釦スイッチ用カバー部材の製造方法。
【発明の詳細な説明】
【０００１】
【発明の属する技術分野】
この発明は、押釦スイッチ付装置、具体的には携帯電話、ＰＨＳ、ＰＤＡその他各種移動体通信機器、電卓、リモコン、パソコン用キーボード等に組み込んで用いられる押釦スイッチ用カバー部材の製造方法に関する。
【０００２】
【従来の技術】
従来、押釦スイッチ用カバー部材の仕様は、押釦スイッチ付装置の製造業者や販売業者が数年先のトレンドを見込んで独断で決定し、押釦スイッチ用カバー部材の製造業者に製造を委託していた。
【０００３】
これは、従来は設計システムから製造までをいわゆる製造業者（押釦スイッチ付装置の製造業者又は押釦スイッチ用カバー部材の製造業者）の手に委ねることで、生産効率を向上させるといった大量生産システムを採用していたからである。
【０００４】
ところで、日本社会では、領土が狭く、単民族であるという歴史的背景もあり皆が平等、皆が同じスタイル、同じ物を所持したい、という気質が形成されている。一方、欧米社会は、領土も広大で、他民族社会ということもあり、様々な価値観の融合があり、独創的なライフスタイルが形成されている。これがいわば優れた、発明、優れたデザインを欧米人が生み出す原動力となっていることはいうまでもない。
【０００５】
【発明が解決しようとする課題】
ところが、日本でも近年、インターネット、コンピュータに代表されるＩＴ化の波が押し寄せたことで、誰もが私的にコンピュータ及びその周辺機器を所持し、これらを活用してデザイン画像を手軽に作れる社会となったこと、及びインターネットで瞬時に世界中にアクセスし、世界の様々な情報に触れることができるようになったことから、日本社会においても価値観の多様化が進んできた。
【０００６】
この発明は、以上のようなユーザーの価値観の多様化に対応するために、押釦スイッチ付装置の分野における新たな製造方法を提供することを課題とするものであって、欧米諸国と肩を並べる優れたデザインの創作力を我が国にもたらす端緒を開くものである。
【０００７】
【課題を解決するための手段】
かかる課題を達成するため、請求項１に記載の発明は、文字、記号、絵柄等の符号を有する複数のキートップ部と該複数のキートップ部が配置されたシート部材とを含む押釦スイッチ用カバー部材の製造方法であって、情報通信手段を介して前記押釦スイッチ用カバー部材の形態意匠を消費者等の第三者へ公開する工程と、前記第三者が前記押釦スイッチ用カバー部材の形態意匠に基づいて前記キートップ部の意匠を決定する工程と、該キートップ部の意匠を前記情報通信手段を介して製造業者へ送信する工程と、サーバー装置により前記第三者から送信された前記キートップ部の意匠と前記押釦スイッチ用カバー部材の形態意匠とで前記押釦スイッチ用カバー部材の基本意匠を合成する工程と、インクジェット印刷装置、熱転写印刷装置及び昇華型印刷装置等により前記シート部材の原料である樹脂シートに複数の前記第三者からの要求に応じた前記押釦スイッチ用カバー部材の基本意匠を画像作成ソフト等の印刷機能を使用して印刷をする印刷工程と、真空・圧空成形機を使用して前記押釦スイッチ用カバー部材の基本意匠が印刷された前記樹脂シートに前記複数のキートップ部に対応する複数の凹部を形成する成形工程と、前記複数の凹部に別途射出成形機等によって成形したキートップ部材を一体化する工程とにより、前記キートップ部の意匠の異なる押釦スイッチ用カバー部材を製作することを特徴としている。
【０００８】
請求項２に記載の発明は、文字、記号、絵柄等の符号を有する複数のキートップ部と該複数のキートップ部が配置されたシート部材とを含む押釦スイッチ用カバー部材の製造方法であって、情報通信手段を介して前記押釦スイッチ用カバー部材の形態意匠を消費者等の第三者へ公開する工程と、前記第三者が前記押釦スイッチ用カバー部材の形態意匠に基づいて前記キートップ部の意匠を決定する工程と、該キートップ部の意匠を前記情報通信手段を介して製造業者へ送信する工程と、サーバー装置により前記第三者から送信された前記キートップ部の意匠と前記押釦スイッチ用カバー部材の形態意匠とで前記押釦スイッチ用カバー部材の基本意匠を合成する工程と、サーバー装置により前記基本意匠に修正を加えて最終意匠を決定する工程と、インクジェット印刷装置、熱転写印刷装置及び昇華型印刷装置等により前記シート部材の原料である樹脂シートに前記押釦スイッチ用カバー部材の最終意匠を画像作成ソフト等の印刷機能を使用して複数の前記第三者からの要求に応じた印刷をする印刷工程と、真空・圧空成形機を使用して前記押釦スイッチ用カバー部材の最終意匠が印刷された前記樹脂シートに前記複数のキートップ部に対応する複数の凹部を形成する成形工程と、前記複数の凹部に別途射出成形機等によって成形したキートップ部材を一体化する工程とにより、前記キートップ部の意匠の異なる押釦スイッチ用カバー部材を製作することを特徴としている。
【０００９】
請求項３に記載の発明は、請求項１又は２に記載の発明の構成に加えて、前記キートップ部の意匠を決定する工程は、前記製造業者から発信される質問データに対して前記第三者が回答データを送信することによって前記キートップ部の意匠が決定されることを特徴としている。
【００１０】
請求項４に記載の発明は、前記キートップ部の意匠を決定する工程は、前記第三者から提示された意匠によって前記キートップ部の意匠が決定される請求項１又は２に記載の発明の構成に加えて、ことを特徴としている。
【００１１】
請求項５に記載の発明は、請求項２に記載の発明の構成に加えて、前記押釦スイッチ用カバー部材の最終意匠を決定する工程は、前記製造業者から発信される性格判断質問票のデータに対して前記第三者が回答データを送信する工程と、前記サーバー装置により前記回答データに基づいて決定された前記第三者の性格データに適合するとされる色彩パラメータ及び／又は文字書体データを使用して前記キートップ部の意匠を決定する工程とを有することを特徴としている。
【００１２】
請求項６に記載の発明は、請求項１乃至５のいずれか一つに記載の発明の構成に加えて、前記製造業者と前記第三者とで使用する前記印刷装置が、同じ性能の同じ調整を施したものであることを特徴としている。
【００１３】
【発明の実施の形態】
以下、この発明の実施の形態を図面を用いて説明する。
【００１４】
図１は、この発明の実施の形態に係る押釦スイッチ用カバー部材を組み込んだ押釦スイッチ付装置の分解斜視図である。図２は、この発明の実施の形態に係る押釦スイッチ用カバー部材を組み込んだ押釦スイッチ付装置の要部断面図である。図３は、この発明の実施の形態に係る押釦スイッチ用カバー部材を組み込んだ押釦スイッチ付装置の外観図である。
【００１５】
押釦スイッチ用カバー部材１は、外装下ケース２と外装上ケース３との間に内蔵されるスイッチ基板４の上に配置される。そして、押釦スイッチ用カバー部材１の一部であるキートップ部５の上部が、外装上ケース３の釦開口部６から僅かに露出するようにして押釦スイッチ付装置７に組み込まれている。この実施の形態では、図３に示したように、押釦スイッチ付装置７が携帯電話である場合を表している。
【００１６】
図２に示した押釦スイッチ用カバー部材１は、スイッチ基板４上のスイッチ機能部８を押圧するための押圧凸部９を備えたキートップ部材１０とこのキートップ部材１０の上面と側面に密着するように成形されたシート部材１１とが一体となって構成されている。
【００１７】
シート部材１１は、最初は１枚の平坦な樹脂シートであって、図４に示したように、真空・圧空成形機１７にセットする前に、この樹脂シートの段階でキートップ部５に必要とされる文字、記号、絵柄等の符号１３の印刷を施しておく。
【００１８】
次に、この印刷済樹脂シート１４を、キートップ部材１０の外形に合わせて形成された凸部１５が複数配置された金型１６が取り付けられている真空・圧空成形機１７にかけることで、図５に示したような必要な立体形状をしたシート部材１１が成形される。
【００１９】
この場合、印刷済樹脂シート１４は、成形し易くするため樹脂材料の軟化する温度（例えば、１２０〜２００℃）まで加熱される。
【００２０】
成形されたシート部材１１の凹部１８には、別途射出成形等によって成形したキートップ部材１０を接着剤（図示せず）を介して一体に固定することで、押釦スイッチ用カバー部材１が完成される。シート部材１１とキートップ部材１０の樹脂材料が同じ場合のように、両者の密着性がよいときは、特に接着剤を用いなくてもよい。
【００２１】
押釦スイッチ付装置７の使用者は、近年ではその外形デザインの好みを重視して購入する傾向が強く、外形デザインの一部を占めるキートップ部５の意匠もその重要な要素となっている。そのため、このキートップ部５をその構成の一部としている押釦スイッチ用カバー部材１の製造業者は、常に押釦スイッチ付装置７の新製品開発のタイミングに合わせてキートップ部５の意匠を変更し、かつ押釦スイッチ付装置７の新製品の生産に同期させた生産体制を整えなければならない立場にあった。
【００２２】
ところで、押釦スイッチ用カバー部材１の意匠に着目した場合には、押釦スイッチ付装置７の釦開口部６から突出して見えるキートップ部５の意匠によって使用者の好みが決定されることとなる。ということは、キートップ部５の意匠を使用者が自由に決定できるとなれば、使用者のニーズに合致した製品が完成できることになる。これにより、販売量の予測が可能となり、結果として押釦スイッチ付装置７又は押釦スイッチ用カバー部材１の製造業者の生産計画も立てやすくなり、延いては生産効率の向上も達成できることとなる。
【００２３】
キートップ部５の意匠を決定する要素としては、「模様」となる文字や記号等の書体、大きさ、線の太さ、飾り、色、光沢、及び「地」となるキートップ部５の天面の色、光沢、柄の他、天面に占める「模様」の配置と大きさのバランスがあげられる。そこで、使用者（購入予定者）２３が押釦スイッチ付装置７を購入する前に、これらの意匠を決定する要素を比較的容易に決定できる環境を構築すべく、この発明の実施の形態では以下のようなシステムを採用することとしている。
【００２４】
図６は、第三者が情報通信手段を利用してキートップ部の意匠を決定できるようにしたシステムの全体構成図である。
【００２５】
押釦スイッチ付装置７に組み込まれた（外装上ケース３と外装下ケース２に覆われた）状態の押釦スイッチ用カバー部材１の形態意匠Ａを、押釦スイッチ付装置７の製造業者１９又は押釦スイッチ用カバー部材１の製造業者２０が、自らのサーバー装置１９ａ，２０ａに画像データとして保存し、この保存した画像データに基づいて特定のＷｅｂサイト２２上に形態意匠Ａを掲載することによって、インターネット２１を通じて第三者２３に公開する。これにより、第三者２３は自らのクライアント装置２３ａから、押釦スイッチ付装置７の製造業者１９又は押釦スイッチ用カバー部材１の製造業者２０が公開するＷｅｂサイト２２にアクセスすることで、押釦スイッチ付装置７の外観とその外観の一部を構成する押釦スイッチ用カバー部材１の意匠を見ることができる。
【００２６】
また、押釦スイッチ付装置７の製造業者１９又は押釦スイッチ用カバー部材１の製造業者２０は、同じＷｅｂサイト２２上で押釦スイッチ用カバー部材１の一部であるキートップ部５の意匠を、第三者２３から公募する。この公募に対して第三者２３からキートップ部５の意匠について応募があった場合に、その意匠を採用した押釦スイッチ付装置７の希望購入数が予め定められた最低生産数量を越えるものであれば、その応募のあったキートップ部５の意匠を基本意匠Ｂとして採用し、この基本意匠Ｂに基づいて実際の押釦スイッチ用カバー部材１を製作し、これを押釦スイッチ付装置７に組み込んで第三者２３へ販売する。なお、キートップ部５の意匠について応募する第三者２３と、実際に押釦スイッチ付装置７を購入希望する第三者２３とは、同一の者であっても別の者であってもよい。
【００２７】
ここで、キートップ部５の基本意匠Ｂ及びその意匠を採用した押釦スイッチ付装置７の意匠は、情報通信手段の一部にインターネット２１を採用しているため、製造業者１９，２０と第三者２３とがそれぞれ情報通信手段の一部である手元のサーバー装置１９ａ，２０ａやクライアント装置２３ａに接続された表示装置１９ｂ，２０ｂ，２３ｂ上に画像として表示されることになる。
【００２８】
ただし、この表示装置１９ｂ，２０ｂ，２３ｂ上で見ることのできる画像は、画像データとしては同じであってもその表示装置１９ｂ，２０ｂ，２３ｂに表示された画像は、それぞれの表示装置１９ｂ，２０ｂ，２３ｂの性能や調整具合等によって少しずつ異なることとなる。また、表示装置１９ｂ，２０ｂ，２３ｂに表示された画像と実際の製品の意匠とは同一とはいえず、その印象も異なる。
【００２９】
そこで、表示装置１９ｂ，２０ｂ，２３ｂ上に表示される画像と実際の製品の意匠とをより近づけたものとするため、押釦スイッチ付装置７の製造業者１９又は押釦スイッチ用カバー部材１の製造業者２０が使用している情報通信手段の一部である出力装置に当たる表示装置１９ｂ，２０ｂ及び印刷装置１９ｃ，２０ｃと同じ性能の同じ調整を施した表示装置２３ｂ及び印刷装置２３ｃを第三者２３に提供することが考えられる。これにより、製造業者１９，２０の表示装置１９ｂ，２０ｂ又は印刷装置１９ｃ，２０ｃから出力される画像と、第三者２３の表示装置２３ｂ又は印刷装置２３ｃから出力される画像の品質とは、ほぼ同じものが得られることとなる。
【００３０】
いずれにしても、基本意匠Ｂをそのまま製品の製作に採用せず、製造業者１９，２０と第三者２３との間で、情報通信手段を通じて又は現物確認等の物理的手段を通じて、相互に調整を行い最終意匠を決定し、この最終意匠に基づいて押釦スイッチ用カバー部材１を製作し、これを押釦スイッチ付装置７に組み込むことが望ましい。
【００３１】
以上のような全体構成において、情報通信手段とは、まず、押釦スイッチ付装置７の製造業者１９又は押釦スイッチ用カバー部材１の製造業者２０が自ら使用するサーバー装置１９ａ，２０ａとこれに接続されている出力装置である表示装置１９ｂ，２０ｂ及び印刷装置１９ｃ、２０ｃと、同じくサーバー装置１９ａ，２０ａに接続され必要に応じて使用される入力装置１９ｄ，２０ｄがある。そして、第三者が自ら使用するクライアント装置２３ａとこれに接続されている出力装置である表示装置２３ｂ及び印刷装置２３ｃと、同じくクライアント装置２３ａに接続されている入力装置２３ｄを含む意味である。
【００３２】
更に、情報通信手段には、世界的なネットワーク環境を提供するインターネット２１と、このインターネット２１に接続されているサーバー装置１９ａ，２０ａ及びクライアント装置２３ａと、サーバー装置１９ａ，２０ａとクライアント装置２３ａとが互いに双方向通信を可能とするために各々のサーバー装置１９ａ，２０ａとクライアント装置２３ａとに接続されている通信制御装置（図示せず）とが含まれる。また、この明細書では、インターネット２１に接続される双方向通信可能な、サーバー装置１９ａ，２０ａ、クライアント装置２３ａ、その他のコンピュータを情報通信装置と総称する。
【００３３】
意匠の決定に当たって、特に重要なのが色彩であるが、この色彩についての調整作業については、以下のようなシステムを採用することが望ましい。
【００３４】
製造業者１９，２０と第三者２３とが仮に決定した基本意匠Ｂの画像データの色相、明度、彩度等によって決定される色彩パラメータについて定めた基準値に対して、特定の幅を持たせた変動値を加えた許容値を設定し、この許容値に基づいた押釦スイッチ用カバー部材１の天面部と同質の素材からなる複数のシート状色見本を作成し、このシート状色見本を第三者２３に提供することとする。
【００３５】
例えば、色彩パラメータの基準値を１００とした場合の変動値を±１０とすると、９０〜１１０が許容値となり、９０〜１１０の許容範囲に入る例えば９０、１００、１１０の値の色彩パラメータを持った３種類のシート状色見本を第三者２３に提供する。そこで、第三者２３は、この提供された３種類のシート状色見本の中から１つ以上（例えば、色彩パラメータ９０と色彩パラメータ１００）を選択し、この選択された（色彩パラメータ９０と色彩パラメータ１００）を最終意匠の色彩パラメータとみなして、押釦スイッチ用カバー部材１を製作することとする。これにより、第三者２３は最終製品により近い状態のキートップ部５の意匠が確認できる。
【００３６】
キートップ部５の意匠については、押釦スイッチ付装置７の製造業者１９又は押釦スイッチ用カバー部材１の製造業者２０が定めた意匠に関する質問票３０に答えることによって自動的に意匠が完成するといったアンケート方式を採用するようにしてもよいし、既存のアドビシステムズ株式会社製のイラストレータ（Ｉｌｌｕｓｔｒａｔｏｒ：登録商標）やフォトショップ（Ｐｈｏｔｏｓｈｏｐ：登録商標）等の画像作成ソフトを使用して本格的に任意の意匠を創作してもよい。
【００３７】
以下、押釦スイッチ付装置７の製造業者１９又は押釦スイッチ用カバー部材１の製造業者２０から与えられた質問に、第三者２３が自らのクライアント装置２３ａから答えることによって押釦スイッチ用カバー部材１の意匠を完成させるアンケート方式について、詳述する。
【００３８】
図７は、この発明の実施の形態に係る押釦スイッチ用カバー部材の意匠を決定するために使用する意匠質問票を示した図表であって、（ａ）はキートップ部の文字、記号、絵柄等のスタイルについての質問票を、（ｂ）及び（ｃ）は文字、記号、絵柄等の色についての質問票を、（ｄ）及び（ｅ）はキートップ部の背景色についての質問票を、（ｆ）は文字、記号、絵柄等のバランスに関する質問票を、（ｇ）は文字、記号等の線径に関する質問票を、（ｈ）は全ての符号の全項目に関する質問票を、それぞれ示している。
【００３９】
押釦スイッチ付装置７の製造業者１９又は押釦スイッチ用カバー部材１の製造業者２０が、予め自らのサーバー装置１９ａ，２０ａに記憶させてＷｅｂサイト２２上に意匠質問票３０を公開しておくことで、第三者２３はこの意匠質問票３０を自らのクライアント装置２３ａに読み込んで表示装置２３ｂに表示させ、この意匠質問票３０に対して以下のとおり順番に答えていく。
【００４０】
キートップ部５の天面部に印刷される模様を構成する文字、記号、絵柄等の符号スタイルを決定する意匠質問票３０では、図７（ａ）に示したように、まず、複数のキートップ部５の全てについて同じ書体又は装飾文字で統一するか否かを質問している（質問Ａ）。質問Ａに対して、ＹＥＳの場合には、表示されている書体又は装飾文字の種類から希望するのものを選択する（質問Ｂ）。ＮＯの場合には、天面に表示される文字、記号、絵柄等の符号全てについて書体又は装飾文字の種類を決めるべく該当個所の升目にチェックを入れる（質問Ｃ）。
【００４１】
キートップ部５の天面に印刷される文字、記号、絵柄等の符号色を決定する意匠質問票３０では、図７（ｂ）に示したように、まず、複数のキートップ部５の全てについて同じ色で統一するか否かを質問している（質問Ｄ）。質問Ｄに対して、ＹＥＳの場合には、表示されている色の種類から希望するのものを選択する（質問Ｅ）。ＮＯの場合には、図７（ｃ）に示したように、天面に表示される文字、記号、絵柄等の符号全てについて符号色と符号縁取り色について該当する升目に希望する色の種類を記入する（質問Ｆ）。
【００４２】
キートップ部５の天面の地を構成する背景色を決定する意匠質問票３０では、図７（ｄ）に示したように、まず、複数のキートップ部５の全てについて同じ色で統一するか否かを質問している（質問Ｇ）。質問Ｇに対して、ＹＥＳの場合には、色の種類から希望するのものを選択する（質問Ｈ）。ＮＯの場合には、図７（ｅ）に示したように、全てのキートップ部について基調色、特殊効果、特殊模様、混合色等の項目についてそれぞれ指定する（質問Ｉ）。  キートップ部５の天面に印刷される文字、記号、絵柄等の符号のバランスを決定する意匠質問票３０では、図７（ｆ）に示したように、全ての符号を同じ大きさに統一するか否かを質問している（質問Ｊ）。次に、全ての符号の配置をキートップ部の中央に統一してよいか否かを質問している（質問Ｋ）。さらに、キートップ部の天面である背景（地）に対する符号（模様）の占める割合をどの位にするかを面積比で表した数値で入力する（質問Ｌ）。
【００４３】
キートップ部５の天面に印刷される文字、記号、絵柄等の符号の線径を決定する意匠質問票３０では、図７（ｇ）に示したように、全ての符号の線径を同じ太さで統一するか否かを質問している（質問Ｍ）。そして、質問Ｊ〜Ｍに対してＮＯと答えた場合には、図７（ｈ）に示したように、全てのキートップ部の符号について文字サイズ、文字線径、面積比、位置に関する項目について指定する（質問Ｎ）。
【００４４】
以上のように、意匠質問票３０の（ａ）〜（ｈ）の質問Ａ〜Ｎに答えることにより、キートップ部５の意匠が特定されることとなる。そこで、この決定された意匠データ（基本意匠Ｂ）を、第三者２３がインターネット２１を通じて押釦スイッチ付装置７の製造業者１９又は押釦スイッチ用カバー部材１の製造業者２０のサーバー装置１９ａ，２０ａに送信することで、この送信された意匠データ（基本意匠Ｂ）を押釦スイッチ付装置７の製造業者１９又は押釦スイッチ用カバー部材１の製造業者２０が受信できる。そして、押釦スイッチ付装置７の製造業者１９又は押釦スイッチ用カバー部材１の製造業者２０は、この受信した意匠データ（基本意匠Ｂ）に基づいて又はこの基本意匠Ｂを調整した最終意匠に基づいて、押釦スイッチ用カバー部材１を製作する。
【００４５】
キートップ部５の最終意匠が完成したら、シート部材１１の原料である樹脂シートへ印刷をすることになる。一般に、樹脂シートとしては、ポリエステル、ポリウレタン、ポリカーボネート、アクリル、塩化ビニル、ポリエチレン、ポリプロピレン等の熱可塑性の樹脂が選択されるが、印刷性や成型加工性等を考慮するとポリエステル、ポリカーボネート、アクリル及びそれらのアロイ、共重合物が好ましい。また、これらの中から選択された樹脂シートに印刷が可能な印刷装置１９ｃ，２０ｃ，２３ｃとしては、例えばインクジェット印刷装置、熱転写印刷装置及び昇華型印刷装置等があげられる。
【００４６】
そこで、これらの印刷装置１９ｃ，２０ｃ，２３ｃに樹脂シートをセットし、画像作成ソフト等の印刷機能を使用して印刷装置１９ｃ，２０ｃ，２３ｃに印刷指示をすることで、印刷装置１９ｃ，２０ｃ，２３ｃが印刷を実行し所望の意匠が施された印刷済樹脂シート１４が完成される。これにより、第三者である購入予定者２３自身が制作したキートップ部５の意匠からなる印刷済樹脂シート１４によって、押釦スイッチ用カバー部材１及び押釦スイッチ付装置７を完成させることができるので、最終製品により近い状態のキートップ部５の意匠が確認でき、購入予定者２３にとっては購入する押釦スイッチ付装置７に深い愛着を感じることにもなる。
【００４７】
また、押釦スイッチ用カバー部材１のシート部材１１の原料である樹脂シートと、この樹脂シートに印刷可能な印刷装置２３ｃを押釦スイッチ付装置７の製造業者１９又は押釦スイッチ用カバー部材１の製造業者２０が第三者２３に供給し、第三者２３自身が樹脂シートに所望の意匠を施した仕掛品（印刷済樹脂シート１４）を製作し、この仕掛品に製造業者１９，２０が後加工を行うことで押釦スイッチ用カバー部材１及び押釦スイッチ付装置７を完成させるようにすることも考えられる。
【００４８】
ところで、物の意匠はその物を使用する物理的な環境条件によって受ける印象が異なるものであって、昼間見る携帯電話と夜見る携帯電話とでは自然光と人工光との違い等により、携帯電話の意匠自体が同じであっても、それを見る者が受ける印象は異なる。
【００４９】
また、見る対象物が同じであっても見る者自身の性格によってその見え方が異なるものであって、同じ携帯電話を穏やかな性格の者が見た場合と活動的な性格の者が見た場合とでは、その対象物から受ける印象は異なる。
【００５０】
これらの要因により、人によって好みとする意匠が違うこととなるわけであるが、色彩については、色彩を色相と色調の視点からその色彩が人に対してどのような印象（心理的な効果）を与えるかについて系統的に解析しそのイメージの度合を尺度として色彩を整理したカラーイメージ・スケールが開発されている（例えば、特公昭５６−４６０８２号）。
【００５１】
他方、人の性格判断の手法としては、９タイプ各２０問の質問（１８０問）にＹＥＳかＮＯで答えた内容をもとに、人の性格を９つのタイプ（タイプ１：完全でありたい人、タイプ２：人の助けになりたい人、タイプ３：成功を追い求める人、タイプ４：特別な存在であろうとする人、タイプ５：知識を得て観察する人、タイプ６：完全を求め慎重に行動する人、タイプ７：楽しさを求め計画する人、タイプ８：強さを求め自己主張をする人、タイプ９：調和と平和を願う人）に分類するエニアグラムというものがあり、企業の人事管理等で採用され有効であるとされている。
【００５２】
このエニアグラムでは、９タイプ各２０問の質問票の答えからその人の性格を判断するアルゴリズムが用意されており、既に９タイプの性格のいずれに該当するかを判定するコンピュータソフトも開発されている（例えば、ｈｔｔｐ：／／ｗｗｗ．ｅｎｎｅａｇｒａｍ．ｇｒ．ｊｐ）。
【００５３】
以下、カラーイメージ・スケールと性格判断結果とを利用した色彩に関する意匠の制作の支援システムについて説明する。
【００５４】
図８は、情報通信手段を使用した性格判断を行う際のフローチャートである。図９は、性格判断結果を利用した色彩に関する意匠の制作の支援システムのフローチャートである。
【００５５】
第三者２３は自らのクライアント装置２３ａから押釦スイッチ付装置７の製造業者１９又は押釦スイッチ用カバー部材１の製造業者２０が提供するＷｅｂサイト２２の意匠公開サイトにアクセスすると（Ｓ１）、製造業者１９，２０のサーバー装置１９ａ，２０ａから意匠公開画面データが送信される（Ｓ１１）。そこで、第三者２３のクライアント装置２３ａから性格判断画面を要求することで（Ｓ２）、製造業者１９，２０のサーバー装置１９ａ，２０ａから性格判断質問票のデータが送信される（Ｓ１２）。第三者２３はクライアント装置２３ａからこの性格判断質問票に答えその回答データを送信すると（Ｓ３）、製造業者１９，２０のサーバー装置１９ａ，２０ａではこの回答データをエニアグラムのアルゴリズムに対比させることで、その第三者２３の性格を判定する（Ｓ１３）。この判定結果に基づいて定まった第三者２３の性格をサーバー装置１９ａ，２０ａに登録し（Ｓ１４）、第三者２３が意匠の制作を行う際の支援に利用する。
【００５６】
第三者２３が意匠の制作に応募する場合には、自らのクライアント装置２３ａから押釦スイッチ付装置７の製造業者１９又は押釦スイッチ用カバー部材１の製造業者２０が提供するＷｅｂサイト２２の意匠公開サイトにアクセスすると（Ｓ４）、製造業者１９，２０のサーバー装置１９ａ，２０ａから意匠公開画面データが送信される（Ｓ１５）。そこで、第三者２３のクライアント装置２３ａから意匠の創作の公募に応じる旨の申し込みを行う（Ｓ５）。この際、第三者２３の個人情報をクライアント装置２３ａから入力して送信することとなる。すると、製造業者１９，２０のサーバー装置１９ａ，２０ａから意匠質問票３０のデータが送信される（Ｓ１６）。第三者２３は、前述した要領でこの意匠質問票３０に記載された意匠の各種要素のパラメータを決定する問題（質問Ａ〜Ｎ）に答えて、その回答データを送信する（Ｓ６）。すると、サーバー装置１９ａ，２０ａは、この回答データを組み合わせて全体意匠を構成した基本意匠Ｂを完成させ、この基本意匠Ｂのデータを送信する（Ｓ１７）。第三者２３は、基本意匠Ｂを確認した上で自分の性格にあった提案意匠Ｃを要求する（Ｓ７）。この要求を受けて、サーバー装置１９ａ，２０ａでは受信したキートップ部５の意匠の色彩パラメータを予め記憶しているカラーイメージ・スケールのデータと比較して、キートップ部５の色彩パラメータと一致した値に対応するイメージが購入予定者２３のエニアグラムによって判定された性格と一致するものであるかどうかを判定し、その第三者２３の性格にあった数種の提案意匠Ｃの画像データを送信する（Ｓ１８）。第三者２３のクライアント装置２３ａでは、受信した数種の提案意匠Ｃから好みの最終意匠を選択し、同時に注文数量を送信する（Ｓ８）。サーバー装置１９ａ，２０ａでは、最終意匠と注文数量に基づいて生産計画と比較して可能な納品日をクライアント装置２３ａに送信する（Ｓ１９）。第三者２３は、受信した納入日でよければ承諾した旨の信号を送信して注文が完了する（Ｓ９）。この際、必要に応じて料金の決済条件の確認手続を行うことは勿論であるが、意匠の制作の応募をする際に同時に済ませるようにしてもよい。そして、サーバー装置１９ａ，２０ａでは、最終意匠に基づいて製造部門に製作指示をすることとなる（Ｓ２０）。
【００５７】
以上のような手順を経ることで、第三者である購入希望者２３の性格に合ったキートップ部５の色彩に関する意匠の制作が支援でき、インターネットを利用することでその場で押釦スイッチ付装置７の注文もできる。以下に説明する形態に関する意匠や文字書体に関する意匠等についても、同様の手順で情報通信手段を利用することで、それら意匠の制作の支援が行える。
【００５８】
形態に関しては、一般生活者の五感の知覚によって情報科学的に捉えられる客観的な嗜好判断軸として、ダイナミック・テイスト（動的嗜好）とスタティック・テイスト（静的嗜好）を判断する軸、及びフェミニン・テイスト（女性的嗜好）とマスキュウリン・テイスト（男性的嗜好）を判別する軸にその交点を中心にして無段階に重み付けして分類して、それをダイヤグラム化したテイスト・スケールなるものが開発されている（例えば、特公平７−９５２５１号）。
【００５９】
図１０に示したものは、この観点で作成された「基礎形態テイスト・スケール」であり、横軸が「形態の強度」であって左に行くほど鋭角形嗜好で右へ行くほど鈍角形嗜好であり、縦軸が「形態の濃度」であって上へ行くほど曲線形嗜好であって下へ行くほど直線形嗜好であることを表し、形態から受ける印象（嗜好）を分類整理したものである。ここで、「形態の強度」とは、インパクトの強い動態に満ちた「力感性」の強弱の度合いに人の好みが投影されるものをいう。「形態の濃度」とは、物がその容積やウェート次第で上昇・下降して見えるように、形の「量感性」の大小度のことをいう。つまり、「基礎形態テイスト・スケール」は、力感嗜好軸と量感嗜好軸それぞれの目盛り尺度で決まる座標点に、自分の心の波動に適した形態が配置された図表化されたデータといえる。そこで、この「基礎形態テイスト・スケール」のデータを採用すれば、キートップ部５の形態イメージについても色彩と同様な考え方で購入希望者２３の性格に合った意匠の制作を支援することができる。
【００６０】
文字書体に関しては、「基礎形態テイスト・スケール」と同じ開発元が開発した「文字書体テイスト・スケール」（「感性マーケティング」、佐藤邦夫、平澤徹也共著、株式会社プレジデント社発行）であって、横軸が「強度軸」、縦軸が「濃度軸」になってあらゆる造形変化による文字書体データが図表化されている。
【００６１】
図１１は、文字書体テイスト・スケールの図表であり、座標が４つに区画されており、右上の第１象限が洗練感、右下の第２象限が信頼感、左下の第３象限が力動感、左上の第４象限が親近感、といった意味づけがなされている。そこで、この「文字書体テイスト・スケール」に従えば、以下のような意匠の提案ができることとなる。
【００６２】
まず、押釦スイッチ付装置７の製造業者１９又は押釦スイッチ用カバー部材１の製造業者２０が、図１２のようなＷｅｂサイト２２の意匠公開サイト３１に、押釦スイッチ付装置７及び押釦スイッチ用カバー部材１の形態意匠Ａを掲載し、同時に押釦スイッチ用カバー部材１の意匠を、第三者２３から公募する。そこで、第三者２３は、上述したアンケート方式により又は独自に押釦スイッチ用カバー部材１のキートップ部５の意匠を制作して、図１３に示したような基本意匠Ｂを完成させ、サーバー装置１９ａ，２０ａへその基本意匠Ｂの画像データを送信する。ここで、例えば、洗練感を好み第三者２３が図１１の第３象限に位置する力動感のある書体ａを選んでいたような場合には、このデータと予めサーバー装置１９ａ，２０ａに記憶させておいた「文字書体テイスト・スケール」のデータと対比することで、第三者２３にとってより好ましい意匠である図１０の第１象限に位置する洗練感のある書体ｂを提案すべく、図１４のように、第三者２３の基本意匠Ｂで採用した書体ａを書体ｂに変更した提案意匠Ｃの画像データを送信するといったことが可能となる。これにより、文字書体についても第三者２３の性格に合った意匠の制作を支援することができる。
【００６３】
以上のように、第三者２３は、押釦スイッチ付装置７の製造業者１９又は押釦スイッチ用カバー部材１の製造業者２０のサーバー装置１９ａ，２０ａからインターネット２１を通じて提案されるキートップ部５又は押釦スイッチ付装置７の提案意匠Ｃを参考として、最終意匠を決定することで、第三者２３の性格又は使用環境条件等の心理的要素を考慮した押釦スイッチ付装置７の操作時の爽快感、快適感等の良好な心理状態を得ることができる。
【００６４】
次に、以上のようにして製作された押釦スイッチ用カバー部材１を組み込んだ押釦スイッチ付装置７の販売促進方法について説明する。
【００６５】
第三者２３から応募された基本意匠Ｂは、その創作者及びその創作者以外の第三者２３に公開すべく、インターネット２１の押釦スイッチ付装置７の製造業者１９又は押釦スイッチ用カバー部材１の製造業者２０のＷｅｂサイト２２上に掲載することとする。すると、この掲載された基本意匠Ｂを見た第三者２３が自分の好みの意匠を見つけ出して、その押釦スイッチ付装置７の購入を希望する場合には、その希望購入数が予め定められた最低生産数量を越えるものであれば、その応募のあったキートップ部５の意匠を基本意匠Ｂとして採用し、この基本意匠Ｂに基づいて実際の押釦スイッチ用カバー部材１を製作し、これを押釦スイッチ付装置７に組み込んで第三者２３へ販売するようにすれば、最新の使用者側の嗜好を取り入れた意匠を第三者２３に提供することができるから、多様化する使用者のニーズに対応が可能となる。
【００６６】
ここで、基本意匠Ｂを創作した第三者２３が押釦スイッチ付装置７を購入希望する場合には、通常の販売価格からその製造数量又は販売数量に応じた値引きを行った特別価格で押釦スイッチ付装置７が購入できるようすることで、顧客の増加が見込めるのみならず、第三者２３からの基本意匠Ｂの応募についての動機付けが果たせることとなり、結果として、使用者の時代に即したニーズを基本意匠Ｂを公開するＷｅｂサイト２２上に取り込むことが可能となるから、そのＷｅｂサイト２２には流行を追う第三者２３が多くアクセスすることが予想されるので、押釦スイッチ付装置７の広告宣伝効果が大きいものとなる。
【００６７】
そして、押釦スイッチ付装置７が携帯電話のような情報通信端末である場合には、その情報通信端末の購入価格の他に、その製造数量又は販売数量に応じて情報通信端末の通信費を値引くようにすることで、一層広告宣伝の効果を大きくすることができる。
【００６８】
上述した実施の形態にあっては、押釦スイッチ付装置７の釦開口部６の形態は変更できないものとして説明したが、押釦スイッチ用カバー部材１のキートップ部５自体の形態に応じて釦開口部６の形態も変更できるものとしてもよい。これにより、キートップ部５自体の形態をも使用者のニーズに応じたものにすることができ、結果として更なる多様化に対応できる。
【００６９】
また、情報通信手段の一部である押釦スイッチ付装置７の製造業者１９又は押釦スイッチ用カバー部材１の製造業者２０のサーバー装置１９ａ，２０ａは、インターネット２１に接続して他の情報通信装置と互いに双方向通信が可能であるものであればよく、製造業者１９，２０にはクライアント装置を置いて別の場所にあるサーバー装置又はその他のコンピュータにその役目を負わせるようにしてもよい。更に、この別の場所のサーバー装置又はその他のコンピュータの管理運営を販売業者その他の機関に任せてもよい。
【００７０】
【発明の効果】
以上説明したように、請求項１に記載の発明によれば、情報通信手段を介して前記押釦スイッチ用カバー部材の形態意匠を消費者等の第三者へ公開する工程と、前記第三者が前記押釦スイッチ用カバー部材の形態意匠に基づいて前記キートップ部の意匠を決定する工程と、該キートップ部の意匠を前記情報通信手段を介して製造業者へ送信する工程と、サーバー装置により前記第三者から送信された前記キートップ部の意匠と前記押釦スイッチ用カバー部材の形態意匠とで前記押釦スイッチ用カバー部材の基本意匠を合成する工程と、インクジェット印刷装置、熱転写印刷装置及び昇華型印刷装置等により前記シート部材の原料である樹脂シートに複数の前記第三者からの要求に応じた前記押釦スイッチ用カバー部材の基本意匠を画像作成ソフト等の印刷機能を使用して印刷をする印刷工程と、真空・圧空成形機を使用して前記押釦スイッチ用カバー部材の基本意匠が印刷された前記樹脂シートに前記複数のキートップ部に対応する複数の凹部を形成する成形工程と、前記複数の凹部に別途射出成形機等によって成形したキートップ部材を一体化する工程とにより、前記キートップ部の意匠の異なる押釦スイッチ用カバー部材を製作するので、第三者の好みに応じた押釦スイッチ付装置を提供でき、しかも販売量の予測が可能となり押釦スイッチ付装置又は押釦スイッチ用カバー部材の製造業者の生産計画も立てやすくなり、延いては生産効率の向上も達成できる。
【００７１】
請求項２に記載の発明によれば、情報通信手段を介して前記押釦スイッチ用カバー部材の形態意匠を消費者等の第三者へ公開する工程と、前記第三者が前記押釦スイッチ用カバー部材の形態意匠に基づいて前記キートップ部の意匠を決定する工程と、該キートップ部の意匠を前記情報通信手段を介して製造業者へ送信する工程と、サーバー装置により前記第三者から送信された前記キートップ部の意匠と前記押釦スイッチ用カバー部材の形態意匠とで前記押釦スイッチ用カバー部材の基本意匠を合成する工程と、サーバー装置により前記基本意匠に修正を加えて最終意匠を決定する工程と、インクジェット印刷装置、熱転写印刷装置及び昇華型印刷装置等により前記シート部材の原料である樹脂シートに前記押釦スイッチ用カバー部材の最終意匠を画像作成ソフト等の印刷機能を使用して複数の前記第三者からの要求に応じた印刷をする印刷工程と、真空・圧空成形機を使用して前記押釦スイッチ用カバー部材の最終意匠が印刷された前記樹脂シートに前記複数のキートップ部に対応する複数の凹部を形成する成形工程と、前記複数の凹部に別途射出成形機等によって成形したキートップ部材を一体化する工程とにより、前記キートップ部の意匠の異なる押釦スイッチ用カバー部材を製作するので、第三者の好みに応じた押釦スイッチ付装置を提供でき、しかも販売量の予測が可能となり押釦スイッチ付装置又は押釦スイッチ用カバー部材の製造業者の生産計画も立てやすくなり、延いては生産効率の向上も達成できる。
【００７２】
請求項３に記載の発明によれば、キートップ部の意匠を決定する工程は、製造業者から発信される質問データに対して第三者が回答データを送信することによってキートップ部の意匠が決定されるので、請求項１又は２に記載の発明の効果に加えて、第三者に意匠を創作する素養がなくとも好みの意匠を施した押釦スイッチ付装置を提供できることとなる。
【００７３】
請求項４に記載の発明によれば、キートップ部の意匠を決定する工程は、第三者から提示された意匠によってキートップ部の意匠が決定されるので、請求項１又は２に記載の発明の効果に加えて、第三者の創作性に富んだ意匠を施した押釦スイッチ付装置を提供できることとなる。
【００７４】
請求項５に記載の発明によれば、押釦スイッチ用カバー部材の最終意匠を決定する工程は、製造業者から発信される性格判断質問票のデータに対して第三者が回答データを送信する工程と、サーバー装置により回答データに基づいて決定された第三者の性格データに適合するとされる色彩パラメータ及び／又は文字書体データを使用してキートップ部の意匠を決定する工程とを有するので、完成されたキートップ部の意匠の色彩が第三者の性格に適合したものとなるから、請求項２に記載の発明の効果に加えて、第三者が完成された製品の意匠から受ける心理状態を最適なものとすることができる。
【００７５】
請求項６に記載の発明によれば、製造業者と第三者とで使用する印刷装置が、同じ性能の同じ調整を施したものであるので、製造業者と第三者とがシート部材の原料である実際の樹脂シートに押釦スイッチ用カバー部材の基本意匠を印刷することで、製品の完成前に、完成品に近い状態でキートップ部の意匠を確認できるから、請求項１乃至５のいずれか一つに記載の発明の効果に加えて、第三者は安心して押釦スイッチ付装置を購入できる。
【図面の簡単な説明】
【図１】  この発明の実施の形態に係る押釦スイッチ用カバー部材を組み込んだ押釦スイッチ付装置の分解斜視図である。
【図２】  同実施の形態に係る押釦スイッチ用カバー部材を組み込んだ押釦スイッチ付装置の要部断面図である。
【図３】  同実施の形態に係る押釦スイッチ用カバー部材を組み込んだ押釦スイッチ付装置の外観図である。
【図４】  同実施の形態に係る押釦スイッチ用カバー部材の製造方法を示した要部断面図である。
【図５】  同実施の形態に係る押釦スイッチ用カバー部材のシート部材の成形後の状態を示した断面図である。
【図６】  この発明の実施の形態に係るシステムであって、第三者が情報通信手段を利用してキートップ部の意匠を決定できるようにしたシステムの全体構成図である。
【図７】  この発明の実施の形態に係る押釦スイッチ用カバー部材の意匠を決定するために使用する意匠質問票を示した図表である。
（ａ）はキートップ部の文字、記号、絵柄等のスタイルについての質問票である。
（ｂ）及び（ｃ）は文字、記号、絵柄等の色についての質問票である。
（ｄ）及び（ｅ）はキートップ部の背景色についての質問票である。
（ｆ）は文字、記号、絵柄等のバランスに関する質問票である。
（ｇ）は文字、記号等の線径に関する質問票である。
（ｈ）は全ての符号の全項目に関する質問票である。
【図８】  この発明の実施の形態に係る情報通信手段を使用した性格判断を行う際のフローチャートである。
【図９】  同実施の形態に係る性格判断結果を利用した色彩に関する意匠の制作の支援システムのフローチャートである。
【図１０】  基礎形態テイスト・スケールの図表である。
【図１１】  文字書体テイスト・スケールの図表である。
【図１２】  この発明の実施の形態に係るＷｅｂサイト上に公開された形態意匠の例である。
【図１３】  同実施の形態に係るＷｅｂサイト上に表示される基本意匠の例である。
【図１４】  同発明の実施の形態に係るＷｅｂサイト上に表示される提案意匠の例である。
【符号の説明】
１  押釦スイッチ用カバー部材
２  外装下ケース
３  外装上ケース
４  スイッチ基板
５  キートッブ部
１０  キートップ部材
１１  シート部材
１４  印刷済樹脂シート
１７  真空・圧空成形機
１８  凹部
１９  押釦スイッチ用カバー部材の製造業者
２０  スイッチ付装置の製造業者
２１  インターネット
２３  第三者、購入予定者
１９ａ，２０ａ  サーバー装置
２３ａ  クライアント装置
１９ｂ，２０ｂ，２３ｂ  表示装置
１９ｃ，２０ｃ，２３ｃ  印刷装置
１９ｄ，２０ｄ，２３ｄ  入力装置
Ａ  形態意匠
Ｂ  基本意匠
Ｃ  提案意匠
【図１】
0003871245.tif 000002
【図２】
0003871245.tif 000003
【図３】
0003871245.tif 000004
【図４】
0003871245.tif 000005
【図５】
0003871245.tif 000006
【図６】
0003871245.tif 000007
【図７】
0003871245.tif 000008
0003871245.tif 000009
0003871245.tif 000010
0003871245.tif 000011
0003871245.tif 000012
0003871245.tif 000013
0003871245.tif 000014
0003871245.tif 000015
【図８】
0003871245.tif 000016
【図９】
0003871245.tif 000017
【図１０】
0003871245.tif 000018
【図１１】
0003871245.tif 000019
【図１２】
0003871245.tif 000020
【図１３】
0003871245.tif 000021
【図１４】
0003871245.tif 000022